(57)【要約】【課題】過去から現在、現在から未来における身体変化の評価を容易に得ることができる身体変化評価装置、方法、及びプログラムを提供する。【解決手段】身体変化評価装置１０は、ユーザーから排出されるアセトンを測定した測定アセトン濃度を取得し、前記ユーザーの身体に関する身体情報を取得し、取得された前記測定アセトン濃度及び前記身体情報に基づいて、前記ユーザーの身体変化を評価し、評価結果を出力する。【選択図】図１
2015150153.tif 000002
【特許請求の範囲】
【請求項１】
ユーザーから排出されるケトン体を測定した測定ケトン体濃度を取得するケトン体濃度取得手段と、
前記ユーザーの身体に関する身体情報を取得する身体情報取得手段と、
前記ケトン体濃度取得手段により取得された前記測定ケトン体濃度及び前記身体情報に基づいて、前記ユーザーの身体変化を評価する評価手段と、
前記評価手段による評価結果を出力する出力手段と、
を備えた身体変化評価装置。
【請求項２】
前記身体情報取得手段は、前記身体情報として前記ユーザーの体重情報及び体組成情報の少なくとも一方を取得し、
前記評価手段は、前記測定ケトン体濃度と、前記ユーザーの体重情報及び体組成情報の少なくとも一方である身体情報と、に基づいて、前記ユーザーの身体変化を評価する
請求項１記載の身体変化評価装置。
【請求項３】
前記身体情報取得手段は、前記身体情報を現在及び過去について取得し、
前記評価手段は、前記測定ケトン体濃度と、現在及び過去の前記身体情報の比較結果と、に基づいて、前記ユーザーの身体変化を評価する
請求項２記載の身体変化評価装置。
【請求項４】
前記出力手段は、前記評価結果に対応するアドバイス情報を出力する
請求項１〜３の何れか１項に記載の身体変化評価装置。
【請求項５】
前記ユーザーから排出されたケトン体を測定する測定手段
を備えた請求項１〜４の何れか１項に記載の身体変化評価装置。
【請求項６】
前記ユーザーの身体に関する身体情報を計測する計測手段
を備えた請求項１〜５の何れか１項に記載の身体変化評価装置。
【請求項７】
前記ユーザーから排出されたケトン体は、前記ユーザーから排出された呼気に含まれるアセトンである
請求項１〜６の何れか１項に記載の身体変化評価装置。
【請求項８】
ユーザーから排出されるケトン体を測定した測定ケトン体濃度を取得し、
前記ユーザーの身体に関する身体情報を取得し、
取得された前記測定ケトン体濃度及び前記身体情報に基づいて、前記ユーザーの身体変化を評価し、
評価結果を出力する
身体変化評価方法。
【請求項９】
コンピュータに、
ユーザーから排出されるケトン体を測定した測定ケトン体濃度を取得し、
前記ユーザーの身体に関する身体情報を取得し、
取得された前記測定ケトン体濃度及び前記身体情報に基づいて、前記ユーザーの身体変化を評価し、
評価結果を出力する
ことを含む処理を実行させるための身体変化評価プログラム。
【発明の詳細な説明】
【技術分野】
【０００１】
本発明は、身体変化評価装置、方法、及びプログラムに関する。
【背景技術】
【０００２】
健康的にダイエットするには、適切に体脂肪を減少させることが必要となるが、そのためには、体脂肪の燃焼状況を把握し、適切に運動及び食事を行うことが必要となる。
【０００３】
従来、呼気中のアセトンの濃度を測定することにより、体脂肪の燃焼状況を把握できることが知られており、例えば特許文献１には、呼気中のアセトンの濃度を計測し、計測したアセトンの濃度の分析結果に応じて、食事の摂取に適したタイミング又は運動の実施に適したタイミングを判定するダイエット支援システムが開示されている。
【０００４】
ところで、体重や体脂肪の変化は、過去からの長期的な生活行動が蓄積された結果が現れたものであるが、食事や運動について数時間レベルの努力では変化がほとんどなく、ダイエットに対してモチベーションを維持するのが困難である。一方、生体ガスや尿中ケトン濃度等による脂質代謝の評価は、数時間レベルの努力で成果が判るため、短期的な指標として大変有効である。
【先行技術文献】
【特許文献】
【０００５】
【特許文献１】国際公開第２０１３／０３８９５９号パンフレット
【発明の概要】
【発明が解決しようとする課題】
【０００６】
しかしながら、従来における生体ガスや尿中ケトン濃度等による脂質代謝の評価は、その時点での瞬間的な評価にすぎず、過去から現在までの身体の変化や、現在から未来にかけての身体の変化を評価できるものではない。
【０００７】
本発明は、過去から現在、現在から未来における身体変化の評価を容易に得ることができる身体変化評価装置、方法、及びプログラムを提供することを目的とする。
【課題を解決するための手段】
【０００８】
上記課題を解決するため、請求項１記載の発明の身体変化評価装置は、ユーザーから排出されるケトン体を測定した測定ケトン体濃度を取得するケトン体濃度取得手段と、前記ユーザーの身体に関する身体情報を取得する身体情報取得手段と、前記ケトン体濃度取得手段により取得された前記測定ケトン体濃度及び前記身体情報に基づいて、前記ユーザーの身体変化を評価する評価手段と、前記評価手段による評価結果を出力する出力手段と、を備える。
【０００９】
なお、請求項２に記載したように、前記身体情報取得手段は、前記身体情報として前記ユーザーの体重情報及び体組成情報の少なくとも一方を取得し、前記評価手段は、前記測定ケトン体濃度と、前記ユーザーの体重情報及び体組成情報の少なくとも一方である身体情報と、に基づいて、前記ユーザーの身体変化を評価するようにしてもよい。
【００１０】
また、請求項３に記載したように、前記身体情報取得手段は、前記身体情報を現在及び過去について取得し、前記評価手段は、前記測定ケトン体濃度と、現在及び過去の前記身体情報の比較結果と、に基づいて、前記ユーザーの身体変化を評価するようにしてもよい。
【００１１】
また、請求項４に記載したように、前記出力手段は、前記評価結果に対応するアドバイス情報を出力するようにしてもよい。
【００１２】
また、請求項５に記載したように、前記ユーザーから排出されたケトン体を測定する測定手段を備えた構成としてもよい。
【００１３】
また、請求項６に記載したように、前記ユーザーの身体に関する身体情報を計測する計測手段を備えた構成としてもよい。
【００１４】
また、請求項７に記載したように、前記ユーザーから排出されたケトン体は、前記ユーザーから排出された呼気に含まれるアセトンであることが好ましい。
【００１５】
請求項８記載の発明の身体変化評価方法は、ユーザーから排出されるケトン体を測定した測定ケトン体濃度を取得し、前記ユーザーの身体に関する身体情報を取得し、取得された前記測定ケトン体濃度及び前記身体情報に基づいて、前記ユーザーの身体変化を評価し、評価結果を出力する。
【００１６】
請求項９記載の発明の身体変化評価プログラムは、コンピュータに、ユーザーから排出されるケトン体を測定した測定ケトン体濃度を取得し、前記ユーザーの身体に関する身体情報を取得し、取得された前記測定ケトン体濃度及び前記身体情報に基づいて、前記ユーザーの身体変化を評価し、評価結果を出力することを含む処理を実行させる。
【発明の効果】
【００１７】
本発明によれば、過去から現在、現在から未来における身体変化の評価を容易に得ることができる、という効果を有する。
【図面の簡単な説明】
【００１８】
【図１】身体変化評価装置の外観図である。
【図２】身体変化評価装置のブロック図である。
【図３】身体変化評価装置と身体情報計測装置との接続図である。
【図４】身体変化評価プログラムによる処理のフローチャートである。
【図５】アセトン濃度と脂質代謝との対応関係を表すテーブルデータの一例を示す図である。
【図６】脂質代謝とアドバイス情報との対応関係を表すテーブルデータの一例を示す図である。
【図７】脂質代謝、体重変化、及び評価Ｎｏの対応関係を表すテーブルデータの一例を示す図である。
【図８】評価Ｎｏ、体脂肪変化方向、及びアドバイス情報の対応関係を表すテーブルデータの一例を示す図である。
【図９】評価Ｎｏとアドバイス情報との対応関係を表すテーブルデータの一例を示す図である。
【図１０】測定機器とパーソナルコンピュータを接続する形態のブロック図である。
【発明を実施するための形態】
【００１９】
以下、本発明の実施形態について説明する。
【００２０】
図１は、本実施形態に係る身体変化評価装置１０の外観図である。図１に示すように、身体変化評価装置１０は、測定部１２、表示部１４、及び操作部１６を備えている。本実施形態に係る身体変化評価装置１０は、一例として持ち運びに便利な携帯型の装置である。
【００２１】
測定部１２は、ユーザーから排出されるケトン体の濃度（以下、ケトン体濃度という）を測定する。ここで、ケトン体とは、アセト酢酸、３−ヒドロキシ酪酸（β−ヒドロキシ酪酸、アセトンの総称であり、これらのうちの少なくとも一つを表す。
【００２２】
本実施形態では、測定部１２が、一例としてユーザーの呼気中のアセトンを検出するアセトン検出センサを備えた構成の場合について説明する。ユーザーは、吹き込み口１８に呼気を吹き込むことにより、呼気中のアセトン濃度を測定することができる。なお、吹き込み口１８は、呼気を収集しやすくするために、口で咥えることが可能なマウスピース型の形状としてもよいし、マスク型の形状としてもよい。
【００２３】
表示部１４は、例えば液晶パネル等で構成される。表示部１４には、例えば各種設定画面、測定部１２で測定されたアセトン濃度の測定結果、及び測定されたアセトン濃度に基づくアドバイス情報等の各種画面が表示される。また、表示部１４をタッチパネルの機能を備えた構成とし、画面に直接タッチすることで操作が可能な構成としてもよい。
【００２４】
操作部１６は、複数の操作ボタンを含んで構成されており、図１では一例として３個の操作ボタン１６Ａ〜１６Ｃを備えた場合を示した。
【００２５】
操作ボタン１６Ａは、一例として身体変化評価装置１０の電源のオンオフ及び各種画面において決定の操作を行うためのボタンとして機能する。
【００２６】
操作ボタン１６Ｂは、一例として各種画面において情報を入力するためのボタンとして機能する。
【００２７】
操作ボタン１６Ｃは、一例として過去の測定結果等を読み出すことを指示するためのボタンとして機能する。
【００２８】
図２には、身体変化評価装置１０のブロック図を示した。図２に示すように、身体変化評価装置１０は、コントローラ２０を備えている。コントローラ２０は、ＣＰＵ（Ｃｅｎｔｒａｌ  Ｐｒｏｃｅｓｓｉｎｇ  Ｕｎｉｔ）２０Ａ、ＲＯＭ（Ｒｅａｄ  Ｏｎｌｙ  Ｍｅｍｏｒｙ）２０Ｂ、ＲＡＭ（Ｒａｎｄｏｍ  Ａｃｃｅｓｓ  Ｍｅｍｏｒｙ）２０Ｃ、不揮発性メモリ２０Ｄ、及び入出力インターフェース（Ｉ／Ｏ）２０Ｅがバス２０Ｆを介して各々接続された構成となっている。この場合、後述する身体変化評価処理をコントローラ２０のＣＰＵ２０Ａに実行させる身体変化評価プログラムを、例えば不揮発性メモリ２０Ｄに書き込んでおき、これをＣＰＵ２０Ａが読み込んで実行する。なお、身体変化評価プログラムは、ＣＤ−ＲＯＭ、メモリーカード等の記録媒体により提供するようにしてもよく、図示しないサーバからダウンロードするようにしてもよい。
【００２９】
Ｉ／Ｏ２０Ｅには、測定部１２、表示部１４、操作部１６、タイマ２２、及び通信部２４が接続されている。
【００３０】
タイマ２２は、現在時刻を取得する機能及び設定された時間を計時する計時機能を有する。
【００３１】
通信部２４は、外部装置と無線通信又は有線通信により情報の送受信を行う。本実施形態では、図３に示すように、身体変化評価装置１０に身体情報計測装置３０が無線又は有線により接続された場合について説明する。なお、身体変化評価装置１０及び身体情報計測装置３０を一体化した装置としてもよい。
【００３２】
身体情報計測装置３０は、ユーザーの身体情報を計測する機能を有する。ここで、身体情報は、例えば体重情報及び体組成情報の少なくとも一つを含む。また、体組成情報は、例えば体脂肪、皮下脂肪、筋肉量等の体組成に関する情報のうち少なくとも一つを含むが、体組成情報はこれらに限られるものではない。
【００３３】
身体変化評価装置１０は、通信部２４を介して身体情報計測装置３０からユーザーの身体情報を取得することができる。
【００３４】
次に、本実施形態の作用として、コントローラ２０のＣＰＵ２０Ａにおいて実行される身体変化評価プログラムによる処理について、図４に示すフローチャートを参照して説明する。なお、図４に示す処理は、ユーザーが身体変化評価装置１０の操作部１６を操作して、身体変化評価プログラムの実行を指示した場合に実行される。
【００３５】
ステップＳ１００では、アセトン濃度の測定を行う。具体的には、まず、予め定めた時間（例えば１０秒）の経過後にアセトン濃度の測定を開始する旨のメッセージを表示部１４に表示すると共に、タイマ２２に対して予め定めた時間を計時するよう指示する。
【００３６】
そして、予め定めた時間が経過したことがタイマ２２から通知された場合には、吹き込み口１８から呼気を吹き込むよう指示する吹き込み開始メッセージを表示部１４に表示すると共に、測定部１２に対してアセトン濃度の測定を開始するよう指示する。ユーザーは、吹き込み開始メッセージが表示部１４に表示されると、呼気を吹き込み口１８に対して吹き込む。
【００３７】
測定部１２は、吹き込み口１８に吹き込まれた呼気のアセトン濃度を測定してコントローラ２０に出力する。また、測定したアセトン濃度は、タイマ２２から取得した現在日時と共に不揮発性メモリ２０Ｄに記憶する。
【００３８】
ステップＳ１０２では、ステップＳ１００で測定したアセトン濃度に基づいて脂質代謝を評価して、評価結果を表示部１４へ表示する。
【００３９】
脂質代謝の副産物であるアセトンのアセトン濃度は脂肪の燃焼量に相当すると考えられ、体内に糖質エネルギーが余っている場合には脂肪が燃焼されないためアセトン濃度は低くなり、体内に糖質エネルギーが足りなくなった場合には脂肪が燃焼されるためアセトン濃度は高くなる。このため、通常は、食事をして体内に糖質エネルギーが余っているとアセトン濃度は下降し始め、その後体内に糖質エネルギーが足りなくなるとアセトン濃度は上昇する。すなわち、アセトン濃度が高いほど脂質代謝が高いといえる。
【００４０】
脂質代謝の評価は、例えば図５に示すようなアセトン濃度と脂質代謝との対応関係を表したテーブルデータ４０を用いて行う。図５に示すテーブルデータ４０は、例えば予め不揮発性メモリ２０Ｄに記憶される。なお、脂質代謝の評価は、図５に示したテーブルデータ４０のようにアセトン濃度との単純対比によって評価しても良いし、ユーザーの体格及び年齢の少なくとも一方を加味して補正されたテーブルデータ４０を用いて評価しても良い。また、現在のアセトン濃度だけでなく、過去のアセトン濃度の測定結果と比較して、アセトン濃度が上昇しているか下降しているかの相対評価を行っても良い。
【００４１】
ステップＳ１０２では、ステップＳ１００で測定したアセトン濃度に対応する脂質代謝を図５のテーブルデータ４０から求め、表示部１４に表示する。なお、図５の例では、脂質代謝が「低」、標準」、「高い」、「高すぎ」の４段階の場合を示したが、３段階以下でも良く、５段階以上であってもよい。
【００４２】
ステップＳ１０４では、身体情報を計測するか否かを判断する。例えば、身体情報を計測して身体変化を評価するか否かを選択させるための選択画面を表示部１４に表示し、ユーザーに身体情報を計測して身体変化を評価するか否かを選択させる。
【００４３】
そして、身体情報を計測して身体変化を評価することをユーザーが選択した場合には、ステップＳ１０６へ移行し、身体情報を計測しないで身体変化を評価することをユーザーが選択した場合には、ステップＳ１０８へ移行する。
【００４４】
ステップＳ１０６では、身体情報を身体情報計測装置３０から取得する。具体的には、まず身体情報を計測するよう指示する指示画面を表示部１４に表示し、ユーザーに身体情報計測装置３０を用いて身体情報を取得するよう指示する。ここで、ユーザーは身体情報計測装置３０により身体情報を計測する。身体情報計測装置３０は、計測された身体情報を身体変化評価装置１０へ送信する。これにより、身体変化評価装置１０は、ユーザーの身体情報を取得する。取得した身体情報は、現在日時と共に不揮発性メモリ２０Ｄに記憶する。なお、本実施形態では、体重及び体脂肪を計測し、計測したこれらの情報が身体情報として身体変化評価装置１０へ送信された場合について説明する。
【００４５】
一方、Ｓ１０８では、脂質代謝のみに基づいて、ユーザーの身体変化の評価に関するアドバイス情報を表示部１４に表示する。具体的には、例えば図６に示すような脂質代謝と身体変化の評価に関するアドバイス情報との対応関係を表したテーブルデータ５０を用いて行う。図６に示すテーブルデータ５０は、例えば予め不揮発性メモリ２０Ｄに記憶される。アドバイス情報は、現在の脂質代謝に対応して、例えば注意喚起したり今後どのような行動をとればよいかをアドバイスしたりする情報である。
【００４６】
ステップＳ１０８では、ステップＳ１０２で求めたユーザーの脂質代謝に対応する身体変化の評価に関するアドバイス情報を図６のテーブルデータ５０から求め、表示部１４に表示する。
【００４７】
このように、ユーザーの呼気中に含まれるアセトン濃度を測定し、測定したアセトン濃度に基づいて身体変化の評価に関するアドバイス情報を表示するので、ユーザーは、アセトン濃度を測定するだけで容易に現在における身体変化の評価を得ることができ、自分の身体を理想的な組成及びプロポーションへと導く指針とすることができる。
【００４８】
ステップＳ１１０では、体組成情報を含めて身体変化を総合評価するか否かを判断する。例えば、体組成情報を含めて身体変化を総合評価するか否かを選択させるための選択画面を表示部１４に表示し、ユーザーに体組成情報を含めて身体変化を総合評価するか否かを選択させる。
【００４９】
そして、体組成情報を含めて身体変化を総合評価することをユーザーが選択した場合には、ステップＳ１１２へ移行し、身体変化について体組成情報を含めて総合判定しないことをユーザーが選択した場合、すなわち、身体変化について体重情報のみを用いて判定することをユーザーが選択した場合には、ステップＳ１１４へ移行する。
【００５０】
ステップＳ１１２では、体重情報、体組成情報、及び脂質代謝に基づいて、身体変化の評価に関するアドバイス情報を表示部１４に表示する。具体的には、まず、過去に測定した体重を不揮発性メモリ２０Ｄから読み出し、読み出した過去の体重と現在の体重との比較結果として差分、すなわち体重変化Δ（ｋｇ）を求める。なお、不揮発性メモリ２０Ｄから読み出す過去の体重は、前回測定した体重でもよいし、１日前の体重でもよいし、１週間前の体重でもよく、どの程度過去の体重を読み出すかは予め定めておけばよい。また、本実施形態では、過去の体重と現在の体重との比較結果として差分を求めているが、比較結果を表すものとしては差分に限られるものではない。例えば、過去の体重に対する現在の体重の変化率を求めても良い。
【００５１】
そして、図７に示すような脂質代謝、体重変化、及び評価Ｎｏの対応関係を示すテーブルデータ６０に基づいて、ステップＳ１０２で求めた脂質代謝及び本ステップで算出した体重変化Δに対応する評価Ｎｏを求める。なお、体重変化Δは、図７の例では、「減少しすぎ」、「目標に対して適度な減少」、「変化なし」、「増加」の４つの変化レベルに分けられており、各変化レベルについて体重変化Δの範囲を予め定めておき、求めた体重変化Δに対応する変化レベルとステップＳ１０２で求めた脂質代謝とに基づいて評価Ｎｏを求める。また、図７の例では、脂質代謝及び体重変化Δは各々４レベルとなっているので、評価Ｎｏは１〜１６の値を取り得る。
【００５２】
次に、求めた評価Ｎｏと、ステップＳ１０６で取得した体脂肪と、に基づいて、身体変化の評価に関するアドバイス情報を取得して表示部１４に表示する。具体的には、まず、過去に測定した体脂肪を不揮発性メモリ２０Ｄから読み出し、読み出した過去の体脂肪と現在の体脂肪とを比較し、体脂肪の変化方向が上昇方向であるか下降方向であるかを判定する。なお、不揮発性メモリ２０Ｄから読み出す過去の体脂肪は、前回測定した体脂肪でもよいし、１日前の体脂肪でもよいし、１週間前の体脂肪でもよく、どの程度過去の体重を読み出すかは予め定めておけばよい。
【００５３】
次に、図８に示すようなテーブルデータ７０に基づいて、本ステップで求めた評価Ｎｏ及び体脂肪の変化方向に対応するアドバイス情報を取得して表示部１４に表示する。なお、図８の「体脂肪↑」は、体脂肪の変化方向が上昇方向であることを表し、「体脂肪↓」は、体脂肪の変化方向が下降方向であることを表している。なお、過去の体脂肪と現在の体脂肪とが同じ場合には、体脂肪の変化方向を上昇方向としてもよいし下降方向としてもよく、予め定めた変化方向に含めればよい。
【００５４】
このように、ユーザーの呼気中に含まれるアセトン濃度、体重、及び体脂肪を測定し、これらの測定結果に基づいて身体変化を総合評価し、この総合評価に関するアドバイス情報を表示する。これにより、ユーザーは、過去、現在、及び未来についての身体変化の評価を容易に得ることができ、自分の身体を理想的な組成及びプロポーションへと導く指針とすることができる。
【００５５】
一方、ステップＳ１１４では、体重情報及び脂質代謝に基づいて、身体変化の評価に関するアドバイス情報を表示部１４に表示する。具体的には、まず、ステップＳ１１２と同様に、まず体重変化Δ（ｋｇ）を求め、図７に示すテーブルデータ６０に基づいて、ステップＳ１０２で求めた脂質代謝及び本ステップで算出した体重変化Δに対応する評価Ｎｏを求める。
【００５６】
次に、図９に示すような、評価Ｎｏと身体変化の評価に関するアドバイス情報との対応関係を表すテーブルデータ８０に基づいて、本ステップで求めた評価Ｎｏに対応する身体変化の評価に関するアドバイス情報を取得し、表示部１４に表示する。
【００５７】
このように、ユーザーの呼気中に含まれるアセトン濃度及び体重を測定し、これらの測定結果に基づいて身体変化の評価に関するアドバイス情報を表示する。これにより、ユーザーは、過去、現在、及び未来についての体変化の評価を容易に得ることができ、自分の身体を理想的な組成及びプロポーションへと導く指針とすることができる。
【００５８】
なお、本実施形態では、図７のテーブルデータ６０の縦軸を体重変化Δとした場合について説明したが、体脂肪Δ（ｍｍ）、皮下脂肪Δ（ｍｍ）等の他の体組成情報の変化量としてもよい。
【００５９】
また、本実施形態では、図８のテーブルデータ６０は、体脂肪の変化方向を用いているが、体重の変化方向でもよいし、皮下脂肪等の他の体組成の変化方向でもよい。
【００６０】
すなわち、身体変化の評価を行う際に用いる体重情報及び体組成情報は、任意に組み合わせ可能である。
【００６１】
また、本実施形態では、身体変化評価装置１０に身体情報計測装置３０を接続し、ユーザーの身体情報を身体情報計測装置３０から取得する場合について説明したが、身体変化評価装置１０に身体情報計測装置３０を接続せずに、身体情報計測装置３０により計測した身体情報をユーザーが身体変化評価装置１０の操作部１６を操作することにより直接入力するようにしてもよい。
【００６２】
また、本実施形態では、身体変化評価装置１０が携帯型の専用装置の場合について説明したが、例えば図１０に示すように、パーソナルコンピュータ８１に、測定部１２を含む測定機器８２及び身体情報計測装置３０を有線又は無線により接続する構成としてもよい。この場合、パーソナルコンピュータ８１は、測定機器８２により測定されたアセトン濃度を取得すると共に、身体情報計測装置３０により計測された身体情報を取得して図４に示す処理を実行することにより、身体変化評価装置として機能する。
【００６３】
また、測定機器８２及び身体情報計測装置３０を接続する機器は、パーソナルコンピュータに限らず、携帯電話、スマートフォン、及びタブレット端末等の携帯端末でもよい。また、これらの携帯端末に測定部１２を内蔵した構成としてもよい。また、これらの携帯端末又は測定機器８２と、身体情報計測装置３０と、をサーバにネットワーク接続する構成としてもよい。この場合、サーバが身体変化評価装置として機能する。すなわち、携帯端末又は測定機器８２は、測定したアセトン濃度及び身体情報をサーバに送信し、身体情報計測装置３０は、計測した身体情報をサーバに送信する。そして、サーバは、携帯端末又は測定機器８２から受信したアセトン濃度と、身体情報計測装置３０から受信した身体情報と、に基づいて図４に示す処理を実行し、結果を携帯端末又は測定機器８２に送信する。これにより、測定機器８２は、少なくともアセトン濃度を測定してサーバに送信する機能及びサーバから結果を受信して表示する機能を備えればよく、安価な構成とすることができる。
【００６４】
また、本実施形態では、測定部１２が、呼気中のアセトンを検出するアセトン検出センサを備えた構成の場合について説明したが、これに限らず、ユーザーの皮膚、尿、唾液、及び汗等から排出されたケトン体を検出するケトン体検出センサを備えた構成としてもよい。
【符号の説明】
【００６５】
１０   身体変化評価装置
１２   測定部
１４   表示部
１６   操作部
１８   吹き込み口
２０   コントローラ
８１   パーソナルコンピュータ
８２   測定機器
【図１】
2015150153.tif 000003
【図２】
2015150153.tif 000004
【図３】
2015150153.tif 000005
【図４】
2015150153.tif 000006
【図５】
2015150153.tif 000007
【図６】
2015150153.tif 000008
【図７】
2015150153.tif 000009
【図８】
2015150153.tif 000010
【図９】
2015150153.tif 000011
【図１０】
2015150153.tif 000012